(57)【要約】【課題】汎用性の高いＬＥＤ照明を低コストに量産可能とする。【解決手段】導電性金属からなる正極側および負極側の帯板２０，３０のうち、一方の帯板（３０）をインサートした射出成形で形成され、一方の帯板（３０）を一体に保持しつつ正負双方の帯板２０，３０間の絶縁を維持した樹脂部１１を有する帯状基板１０と、帯状基板１０の延びる方向に離間して配置され、それぞれが上記一方の帯板（３０）と通電可能に接続された複数のＬＥＤチップ２と、絶縁材料で形成されて帯状基板１０に取り付け固定され、その状態で、他方の帯板（２０）を、ＬＥＤチップ２のそれぞれに通電可能な状態に保持した保持部材４０とを備えるＬＥＤ照明１である。【選択図】図１
2015023170.tif 000002
【特許請求の範囲】
【請求項１】
導電性金属からなる正極側および負極側の帯板のうち、一方の帯板をインサートした射出成形で形成され、前記一方の帯板を一体に保持しつつ正負双方の帯板間の絶縁を維持した樹脂部を有する帯状基板と、
前記帯状基板の延びる方向に離間して配置され、それぞれが前記一方の帯板と通電可能に接続された複数のＬＥＤチップと、
絶縁材料で形成されて前記帯状基板に取り付け固定され、この取り付け固定状態で、他方の帯板を、複数のＬＥＤチップのそれぞれに通電可能な状態に保持した保持部材と、を備えるＬＥＤ照明。
【請求項２】
前記樹脂部に複数のＬＥＤ収容部が画成され、各ＬＥＤ収容部にＬＥＤチップが一個ずつ収容された請求項１に記載のＬＥＤ照明。
【請求項３】
前記他方の帯板が前記帯状基板の表面側に配置されると共に、前記一方の帯板が前記帯状基板の裏面側で前記樹脂部に一体に保持されている請求項１又は２に記載のＬＥＤ照明。
【請求項４】
前記保持部材に突起部を設け、この突起部を前記他方の帯板に設けた孔部を介して前記帯状基板に取り付け固定することにより、前記他方の帯板が、複数のＬＥＤチップのそれぞれに通電可能な状態で前記帯状基板の表面側に保持されている請求項３に記載のＬＥＤ照明。
【請求項５】
前記保持部材は、透明又は半透明の絶縁材料で形成され、かつ前記他方の帯板の表面全域を覆う帯板状をなしている請求項１〜４の何れか一項に記載のＬＥＤ照明。
【請求項６】
前記保持部材が、その厚さ方向に透過する光を拡散させるレンズ部を複数有し、各レンズ部の直下位置にＬＥＤチップがそれぞれ配置された請求項５に記載のＬＥＤ照明。
【請求項７】
ＬＥＤチップは、赤色発光部、緑色発光部および青色発光部を有するフルカラー型のＬＥＤチップである請求項１〜６の何れか一項に記載のＬＥＤ照明。
【発明の詳細な説明】
【技術分野】
【０００１】
本発明はＬＥＤ照明に関し、特に、ＬＥＤチップ（表面実装型のＬＥＤ）を複数備え、全体として帯状をなしたＬＥＤ照明に関する。
【背景技術】
【０００２】
例えば、下記の特許文献１には、複数のＬＥＤを光源として用いた細長光源（ＬＥＤ照明）が記載されている。このＬＥＤ照明は、直線状に形成したプリント基板、およびこのプリント基板上に所定間隔で配置された複数のＬＥＤなどを、透明又は半透明の円筒管内に収容して形成されたものであり、既存の蛍光灯（直管型蛍光灯）の代替品として利用可能である。
【先行技術文献】
【特許文献】
【０００３】
【特許文献１】特開平８−１６２６７７号公報
【発明の概要】
【発明が解決しようとする課題】
【０００４】
ところで、省エネ意識の高まりから、ＬＥＤ照明の需要が急速に増加しているものの、既存のＬＥＤ照明は依然として高価であることから十分に普及しているとは言い難いのが実情である。特に、特許文献１に記載のＬＥＤ照明のように、ＬＥＤに通電するための基板としてプリント基板を用いた場合には、基板作製に多大な手間とコストを要する関係上、ＬＥＤ照明がどうしても高価となる。
【０００５】
また、特許文献１の技術手段では、既存の蛍光灯の代替品として利用可能な直管型のＬＥＤ照明を提供することしかできない。すなわち、特許文献１の構成上、正負極間における短絡を防止するには、プリント基板を、定形性を有する円筒管等の内部に所定姿勢で固定せざるを得ない。従って、特許文献１のＬＥＤ照明は汎用性に乏しい。
【０００６】
さらに、特許文献１のＬＥＤ照明は、いわゆる砲弾型のＬＥＤを光源として使用している。ＬＥＤとしては、表面実装型のＬＥＤ（ＬＥＤチップとも称される）もあるが、特許文献１においてはこのＬＥＤを用いたＬＥＤ照明について何ら言及されていない。
【０００７】
以上の実情に鑑み、本発明は、いわゆる表面実装型のＬＥＤ（ＬＥＤチップ）を用いたＬＥＤ照明であって、低コストに量産可能で、しかも種々の照明として活用し得る汎用性の高いＬＥＤ照明を新規に提供することを目的とする。
【課題を解決するための手段】
【０００８】
上記の目的を達成するために創案されたＬＥＤ照明は、導電性金属からなる正極側および負極側の帯板のうち、一方の帯板をインサートした射出成形で形成され、一方の帯板を一体に保持しつつ正負双方の帯板間の絶縁を維持した樹脂部を有する帯状基板と、帯状基板の延びる方向に離間して配置され、それぞれが一方の帯板に通電可能に接続された複数のＬＥＤチップと、絶縁材料で形成されて帯状基板に取り付け固定され、この取り付け固定状態で、他方の帯板を、複数のＬＥＤチップのそれぞれに通電可能な状態に保持した保持部材と、を備えることを特徴とする。なお、本発明でいう「ＬＥＤチップ」とは、いわゆる表面実装型のＬＥＤである。
【０００９】
このような構成によれば、正負何れか一方の帯板を一体に保持した樹脂部を有する帯状基板に保持部材を取り付け固定することによって、複数のＬＥＤチップのそれぞれに通電可能なＬＥＤ照明を得ることができる。また、このＬＥＤ照明の構成部材である帯状基板、他方の帯板および保持部材は、何れも、単体での取り扱いが可能であることから、プリント基板を構成部材とする特許文献１のＬＥＤ照明のようにハンドリング性が問題となることはなく、組み立て作業性を高めることができる。
【００１０】
また、このＬＥＤ照明では、正極側および負極側の帯板が樹脂部によって絶縁されること、並びに、絶縁材料で形成された保持部材を構成部材として備えることから、樹脂部の形態や保持部材の形態を考慮すれば、水や異物による両帯板間の短絡や帯板の腐食等を可及的に防止することができる。さらに、帯状基板および他方の帯板の板厚を考慮すれば、当該ＬＥＤ照明を全体として薄肉に形成し、当該ＬＥＤ照明に可撓性を付与することができる。可撓性が付与されれば、このＬＥＤ照明を任意に変形させた状態で使用することができる。そうすると、本発明に係るＬＥＤ照明は、特許文献１のＬＥＤ照明のように直管型蛍光灯の代替品としてだけでなく、種々の照明として利用することが可能となる。以上のことから、本発明によれば、低コストに量産可能で、しかも種々の照明として活用し得る汎用性の高いＬＥＤ照明を提供することができる。
【００１１】
上記構成のＬＥＤ照明は、樹脂部に複数のＬＥＤ収容部が画成され、各ＬＥＤ収容部にＬＥＤチップが一個ずつ収容されたものとすることができる。この場合、樹脂部を熱伝導率の高い樹脂を主成分とする樹脂材料で形成すれば、ＬＥＤチップへの通電に伴って発せられる熱を、効率的に放熱することができる。これにより、熱によるＬＥＤチップの劣化を抑制し、当該ＬＥＤ照明の長寿命化を図ることができる。
【００１２】
上記の構成を備えたＬＥＤ照明の具体的な形態として、他方の帯板が帯状基板の表面側に配置されると共に、一方の帯板が帯状基板の裏面側で樹脂部に一体に保持された構成を挙げることができる。なお、ここでいう「表面側」および「裏面側」とは、それぞれ、ＬＥＤチップの発光部（発光素子）から発せられる光の進行方向前方側および後方側である。この場合、保持部材に突起部を設け、この突起部を他方の帯板に設けた孔部を介して帯状基板に取り付け固定することにより、他方の帯板を、複数のＬＥＤチップのそれぞれに通電可能な状態で帯状基板の表面側に保持することができる。このような構成を採用すれば、他方の帯板の保持性を高めて、当該ＬＥＤ照明の信頼性を高めることができる。また、当該ＬＥＤ照明の組み立て性が向上する。
【００１３】
保持部材は、透明又は半透明の絶縁材料で形成され、かつ他方の帯板の表面全域を覆った帯板状をなしたものとすることができる。このようにすれば、ＬＥＤ照明としての基本機能を損なうことなく、他方の帯板やＬＥＤチップを異物等から保護することができる。この場合、保持部材に、光を拡散させるレンズ部を複数設け、各レンズ部の直下位置にＬＥＤチップをそれぞれ配置することができる。このようにすれば、各ＬＥＤチップから照射される光を拡散させることができるので、光の照射範囲を拡大することができる。
【００１４】
本発明に係るＬＥＤ照明では、任意のＬＥＤチップを使用することができる。すなわち、ＬＥＤチップとしては、例えば、単色発光型のＬＥＤチップを使用しても良いし、赤色発光部、緑色発光部および青色発光部を有するフルカラー型（ＲＧＢフルカラー型）のＬＥＤチップを使用しても良い。本発明に係るＬＥＤ照明の構成上、使用するＬＥＤチップの端子の形状や配置態様等に応じて、正負双方の帯板の形態（より具体的には、正負双方の帯板にそれぞれ設けられる端子の形態）や配置態様を適宜変更すれば、いかなるタイプのＬＥＤチップでも問題なく使用することができる。
【発明の効果】
【００１５】
以上のことから、本発明によれば、種々の照明として活用し得る汎用性の高いＬＥＤ照明を低コストに量産することができる。
【図面の簡単な説明】
【００１６】
【図１】本発明の一実施形態に係るＬＥＤ照明の部分概略断面図である。
【図２】図１のＬＥＤ照明を各構成部材に分解したときの部分概略断面図である。
【図３】フルカラー型ＬＥＤチップの配列例を模式的に示す図である。
【図４】フルカラー型ＬＥＤチップと正極側の帯板との電気的な接続状態を模式的に示す図である。
【図５】本発明の他の実施形態に係るＬＥＤ照明の部分概略断面図である。
【図６】ＬＥＤ照明同士をコネクタで連結した形態の概略平面図である。
【発明を実施するための形態】
【００１７】
以下、本発明の実施の形態を、図１〜図６を参照しながら説明する。
【００１８】
図１は、本発明の一実施形態に係るＬＥＤ照明１の部分概略断面図であり、図２は、ＬＥＤ照明１を各構成部材に分解したときの部分概略断面図（ＬＥＤ照明１の部分分解図）である。本実施形態のＬＥＤ照明１は、負極側の帯板３０を有する帯状基板１０、正極側の帯板２０および帯板状の保持部材４０を積み重ねることで形成した帯板状のアセンブリと、正負双方の帯板２０，３０に電気的に接続された複数のＬＥＤチップ２とを備え、全体として帯板状の形態を有している。図示は省略するが、正極側および負極側の帯板２０，３０は、例えばその長手方向端部に、当該ＬＥＤ照明１を電源に接続するための端子（電源接続用の雄型端子）をそれぞれ有する。図１および図２にはＬＥＤチップ２を一個だけしか示していないが、ＬＥＤチップ２は、実際には、図３に示すように、帯状基板１０の延びる方向に離間して複数配置されている。なお、以下では、説明の便宜上、保持部材４０の配置された側（ＬＥＤチップ２から発せられる光の進行方向前方側）を表面側といい、帯状基板１０の配置された側（ＬＥＤチップ２から発せられる光の進行方向後方側）を裏面側という。
【００１９】
ここで、ＬＥＤチップ２とは、発光部（発光素子）の数に対応した正極および負極端子が、外表面に沿って設けられたいわゆる表面実装型のＬＥＤを意味する。本実施形態のＬＥＤチップ２は、赤色発光部３、緑色発光部４および青色発光部５を一つずつ備えたＲＧＢフルカラータイプのＬＥＤチップであり（図３も併せて参照）、各発光部３〜５の上面および下面に沿うようにして、正極側の帯板２０に電気的に接続される正極端子６〜８および負極側の帯板３０に電気的に接続される負極端子（図示せず）がそれぞれ設けられている。なお、このＲＧＢフルカラータイプのＬＥＤチップ２は、図示しない制御部で通電する発光部を選択・制御することにより、赤（Ｒ）、緑（Ｇ）又は青（Ｂ）を単色で発光させることができる他、フルカラーで発光させることもできる。
【００２０】
帯状基板１０は、負極側の帯板３０を樹脂部１１で一体に保持した帯板状の形態を有する。この帯状基板１０に正極側の帯板２０および保持部材４０を積み重ねた状態（完成品としてのＬＥＤ照明１の状態）では、樹脂部１１により、正極側の帯板２０と負極側の帯板３０の絶縁が維持（両帯板２０，３０間での短絡が防止）される。
【００２１】
負極側の帯板３０は、ＬＥＤチップ２の負極端子と電気的に接続される端子３１と、保持部材４０に突設されたピン状の突起部４２（詳細は後述する）が挿通される孔部３２とをそれぞれ複数有する。端子３１の配置態様は、ＬＥＤチップ２の配置態様に対応している。このような構成を有する負極側の帯板３０は、厚さ０．０１ｍｍ〜３ｍｍ程度（例えば、０．３ｍｍ）の導電性に富む帯状の金属板（例えば銅板、アルミ板、あるいはステンレス鋼板）にプレス加工を施すことにより形成される。この帯板３０は、その外表面全域が、錫メッキ被膜等の導電性の金属被膜で被覆された金属板で形成しても良い。
【００２２】
樹脂部１１には、帯状基板１０の延びる方向に離間して複数のＬＥＤ収容部１２が画成され、各ＬＥＤ収容部１２にＬＥＤチップ２が一個ずつ収容（装着）されている。各ＬＥＤ収容部１２は、帯状基板１０の表面および裏面に開口している。各ＬＥＤ収容部１２内には、負極側の帯板３０の端子３１が露出している。従って、ＬＥＤ収容部１２内にＬＥＤチップ２を嵌め込むと、ＬＥＤチップ２の負極端子と負極側の帯板３０の端子３１とが電気的に接続される。また、樹脂部１１は、保持部材４０に突設されたピン状の突起部４２（詳細は後述する）が負極側の帯板３０の孔部３２に先行して挿通される孔部１３を複数有する。すなわち、孔部１３は、負極側の帯板３０に設けられた孔部３２と同位置に形成されている。
【００２３】
以上の構成を有する樹脂部１１は、負極側の帯板３０をインサートして射出成形することで形成され、実質的に端子３１を除く負極側の帯板３０の表面略全域を覆うようにして、負極側の帯板３０を帯状基板１０の裏面側で一体に保持している。樹脂部１１の形成には、例えば、液晶ポリマー（ＬＣＰ）、ポリフェニレンサルファイド（ＰＰＳ）、ポリアセタール（ＰＯＭ）、ポリエーテルエーテルケトン（ＰＥＥＫ）等の群から選択される一種又は二種以上を主成分とした樹脂材料が使用され、本実施形態ではこれらの中でも成形性や熱伝導性に優れたＬＣＰを主成分とした樹脂材料を使用している。なお、樹脂部１１成形用の樹脂材料としては、樹脂部１１の絶縁性を損なわない範囲で適当な充填材を配合したものを使用しても良い。
【００２４】
上記のように、熱伝導率の高いＬＣＰを主成分とする樹脂材料で樹脂部１１を形成し、この樹脂部１１に画成したＬＥＤ収容部１２にＬＥＤチップ２を収容すれば、ＬＥＤチップ２がＬＥＤ収容部１２の壁部で囲まれるので、ＬＥＤチップ２の各発光部３〜５が点灯するのに伴って発せられる熱を、効率的に放熱することができる。これにより、熱によるＬＥＤチップ２の劣化を抑制し、ＬＥＤ照明１の長寿命化を図ることができる。なお、上述した樹脂部１１の成形用樹脂はあくまでも例示であり、絶縁性や放熱性（熱伝導性）に富むその他の樹脂を用いてもよい。
【００２５】
樹脂部１１の各部の肉厚は、帯状基板１０、ひいてはＬＥＤ照明１に可撓性を付与するため（ＬＥＤ照明１を長手方向に湾曲等させた形態でも使用可能とするため）、必要とされる機械的強度等を確保し得る限りにおいて極力薄くするのが望ましい。このような観点から、樹脂部１１の各部の肉厚は、例えば、０．３ｍｍ〜１．５ｍｍ程度とされる。
【００２６】
正極側の帯板２０は、ＬＥＤチップ２の正極端子６〜８と電気的にそれぞれ接続される端子２１〜２３（端子の組）と、保持部材４０の突起部４３（詳細は後述する）が樹脂部１１の孔部１３に先行して挿通される孔部２４とをそれぞれ複数有する。端子２１〜２３（端子の組）の配置態様は、ＬＥＤチップ２（ＬＥＤ収容部１２）の配置態様に対応している。端子２１〜２３は、帯板２０の一部を裏面側に屈曲させるようにして形成されており、これら端子２１〜２３の間には、保持部材４０の凸部４２（詳細は後述する）を嵌合可能な空間部２５が画成される。本実施形態では、ＬＥＤチップ２としてフルカラータイプのＬＥＤチップを用いている関係上、正極側の帯板２０は、図４に示すように、ＬＥＤ照明１の厚さ方向に積み重ねられた上下二枚の帯板２０Ａ，２０Ｂで構成される。帯板２０Ａ，２０Ｂは、複数の端子２１〜２３（端子の組）と切断部２６とで正極側の配線を構成する。図４では、上側（表面側）に配置された帯板２０Ａを実線で示し、下側（裏面側）に配置された帯板２０Ｂを点線で示している。
【００２７】
正極側の帯板２０を構成する帯板２０Ａ，２０Ｂは、負極側の帯板１２と同様に、厚さ０．０１ｍｍ〜３ｍｍ程度（例えば、０．３ｍｍ）の導電性に富む帯状の金属板（例えば銅板、アルミ板、あるいはステンレス鋼板）にプレス加工を施すことで形成される。これら帯板２０Ａ，２０Ｂの何れか一方又は双方は、その外表面全域が、錫メッキ被膜等の導電性の金属被膜で被覆された金属板で形成しても良い。
【００２８】
保持部材４０は、透明又は半透明の絶縁材料、例えばアクリル樹脂で帯板状に形成され、帯状基板１０に取り付け固定されたときに、正極側の帯板２０の表面全体を覆うことができる形状を有する。保持部材４０は、表面側に膨出し、光を拡散させる（より詳しくは、保持部材４０の裏面に入射した光を表面から出射する際に拡散させる）レンズ部４１と、レンズ部４１と同位置（同軸）に配置され、レンズ部４１の反対側（裏面側）に膨出した凸部４２と、裏面側に突設されたピン状の突起部４３とをそれぞれ複数有する。レンズ部４１および凸部４２の配置態様は、ＬＥＤチップ２（ＬＥＤ収容部１２）の配置態様に対応している。すなわち、ＬＥＤチップ２は、各レンズ部４１の直下位置に一つずつ配置される。各凸部４２の断面形状は、正極側の帯板２０の端子２１〜２３間に画成された空間部２５の断面形状に概ね適合している。
【００２９】
このように、保持部材４０を透明又は半透明の絶縁材料で形成し、正極側の帯板２０の表面全域を覆うようにしたので、ＬＥＤ照明１としての基本機能を損なうことなく、正極側の帯板２０やＬＥＤチップ２等を異物等から保護することができる。また、この保持部材４０に光を拡散させ得るレンズ部４１を複数設け、各レンズ部４１の直下位置にＬＥＤチップ２がそれぞれ配置されるので、光の照射範囲を拡大することができる。
【００３０】
そして、図１に示すＬＥＤ照明１は、帯状基板１０の樹脂部１１に画成したＬＥＤ収容部１２内にＬＥＤチップ２を一つずつ嵌め込み、ＬＥＤチップ２と負極側の帯板３０とを電気的に接続した後、帯状基板１０の表面側に配置した保持部材４０を帯状基板１０に取り付け固定し、これに伴って、保持部材４０と帯状基板１０との間に配置した正極側の帯板２０を、各ＬＥＤチップ２に通電可能な状態に保持することで完成する。
【００３１】
より詳しく述べると、まず、各ＬＥＤチップ２は、その負極端子がＬＥＤ収容部１２内に露出した負極側の帯板３０の端子３１と電気的に接続されるように、ＬＥＤ収容部１２内に嵌め込まれる。本実施形態では、ＬＥＤチップ２の負極端子と負極側の帯板３０の端子３１とを半田付けすることにより、両者が電気的に接続される。このようにすることで、ＬＥＤ収容部１２からのＬＥＤチップ２の脱落が確実に防止されると共に、ＬＥＤチップ２と負極側の帯板３０との電気的な接続状態が安定的に保たれる。ＬＥＤ収容部１２内にＬＥＤチップ２が収容（帯状基板１０にＬＥＤチップ２が装着）されたとき、ＬＥＤチップ２の上面レベルは、帯状基板１０の樹脂部１３の上面レベルよりも低い位置にある。
【００３２】
次いで、帯状基板１０の表面側に正極側の帯板２０を配置し、この帯板２０に設けた端子２１〜２３をＬＥＤチップ２の正極端子６〜８にそれぞれ接触させるようにして、正極側の帯板２０を帯状基板１０の表面に載置する。これに伴って、負極側の帯板３０の孔部３２、樹脂部１１の孔部１３および正極側の帯板２０の孔部２４が同軸に配置される。そして、保持部材４０の突起部４３を、正極側の帯板２０の孔部２４および樹脂部１１の孔部１３を介して負極側の帯板３０の孔部３２に挿通させた後、突起部４３の先端を折り曲げる（あるいは押し潰す）ことで形成した係止部４４（図１参照）を負極側の帯板３０の裏面に係止させる。これにより、保持部材４０が帯状基板１０に取り付け固定されると共に、正極側の帯板２０が、複数のＬＥＤチップ２のそれぞれに通電可能な状態に保持される。この際、保持部材４０の凸部４３は正極側の帯板２０の空間部２５に嵌合され、これに伴って帯板２０の端子２１〜２３が裏面側に押圧される。これにより、正極側の帯板２０（の端子２１〜２３）とＬＥＤチップ２（の正極端子６〜８）との電気的な接続状態が一層安定的に保たれる。この場合には、ＬＥＤチップ２が正極側の帯板２０の端子２１〜２３と負極側の帯板３０の端子とで上下両側から挟持されるので、ＬＥＤチップ２がＬＥＤ収容部１２から脱落する（ＬＥＤチップ２と正負双方の帯板２０，３０との電気的な接続状態が解除される）のを効果的に防止することができる。そのため、上述したようなＬＥＤチップ２の負極端子と負極側の帯板３０の端子との半田付けは省略しても構わない。
【００３３】
本発明によれば、正負何れか一方の帯板（本実施形態では負極側の帯板３０）を一体に保持した樹脂部１１を有する帯状基板１０に、帯状の保持部材４０を取り付け固定することによって、複数のＬＥＤチップ２のそれぞれに通電可能なＬＥＤ照明１を得ることができる。また、このＬＥＤ照明１の構成部材である帯状基板１０、他方の帯板としての正極側の帯板２０および帯板状の保持部材４０は、何れも、単体での取り扱いが可能であることから、プリント基板を構成部材とする特許文献１のＬＥＤ照明のようにハンドリング性が問題となることはない。従って、組み立て作業性を高め、量産性を向上することができる。
【００３４】
特に、本実施形態のＬＥＤ照明１では、正極側の帯板２０を帯状基板１０の表面側に配置すると共に、負極側の帯板３０を帯状基板１０の裏面側で樹脂部１１に一体に保持し、かつ、保持部材４０に設けた突起部４３を正極側の帯板２０に設けた孔部２４を介して帯状基板１０に取り付け固定することにより、正極側の帯板２０を、複数のＬＥＤチップ２のそれぞれに通電可能な状態で帯状基板１０の表面側に保持している。そのため、ＬＥＤ照明１を一層容易に組み立てることができ、しかも、正極側の帯板２０の保持性を高めて信頼性の高いＬＥＤ照明１を提供することができる。
【００３５】
また、このＬＥＤ照明１では、正負双方の帯板２０，３０が樹脂部１１によって絶縁されること、並びに、絶縁材料で形成された帯板状の保持部材４０を構成部材として備えることから、樹脂部１１の形態や保持部材４０の形態を考慮すれば、水や異物による両帯板２０，３０間の短絡や帯板２０，３０の腐食等を可及的に防止することができる。さらに、帯状基板１０、正極側の帯板２０および帯板状の保持部材４０の板厚を考慮すれば、当該ＬＥＤ照明１を全体として薄肉に形成し、当該ＬＥＤ照明１に可撓性を付与することができる。可撓性が付与されれば、このＬＥＤ照明１を任意に変形させた状態で使用することができる。従って、本発明に係るＬＥＤ照明１は、特許文献１のＬＥＤ照明のように直管型蛍光灯の代替品としてだけでなく、種々の照明として利用することが可能となって、汎用性が向上する。
【００３６】
すなわち、本発明に係るＬＥＤ照明１は、例えば構造体の壁面等に直接取り付けて使用することができる。構造体の壁面等へのＬＥＤ照明１の取り付けは、タッピングネジ等の締結部材を用いて行うことができるが、ＬＥＤ照明１は薄肉かつ軽量に形成し得ることから、両面テープや粘着材を用いて行うこともできる。
【００３７】
本発明に係るＬＥＤ照明１は、上述したとおり、全体としての厚さを薄肉（数ｍｍ程度）に形成することができる。そのため、構造体に取り付けた場合でも構造体の美観を害さず、また、構造体の設置面が有する本来の機能（例えば通路としての機能）を損なうことがない。そのため、本発明のＬＥＤ照明１であれば、例えば廊下の中央部等、既存品では設置不能な場所にも取り付けることができる。従って、非常用の照明灯としても使用できる。
【００３８】
図５に、本発明の他の実施形態に係るＬＥＤ照明１の部分概略断面図を示す。同図に示すＬＥＤ照明１は、屋外使用にも耐え得るように防水機能等を高めた構造を有する。すなわち、図１に示す実施形態では、負極側の帯板３０の裏面が樹脂部１１で覆われることなく露出している。これに対し、図５に示す実施形態では、負極側の帯板３０の裏面全体を樹脂部１１で被覆し、帯板３０の露出部分を減少させている。これにより、雨水や異物に対する耐性を向上することができる。なお、この実施形態では、突起部４３の先端部を、帯板３０の裏面を被覆する樹脂部１１に圧入あるいは接着固定等することにより、保持部材４０が帯状基板１０に取り付け固定されている。その他の構成は、図１に示すＬＥＤ照明１と実質的に同一であるので、同一の参照番号を付して重複説明を省略する。
【００３９】
以上の説明では、保持部材４０で正極側の帯板２０の表面全域を覆うようにした関係上、保持部材４０を透明又は半透明の絶縁材料で形成したが、保持部材４０の形態はこれに限られない。例えば、図示は省略するが、保持部材４０のうち裏面側にＬＥＤチップ２が配置される部位が表裏両面に開口した保持部材４０であれば、当該保持部材４０を非透明の絶縁材料で形成することができる。
【００４０】
また、以上では、発光部３〜５の上面に沿って正極端子６〜８が形成されると共に、発光部３〜５の下面に沿って負極端子が形成されたＬＥＤチップ２を用いた関係上、樹脂部１１に一体に保持される（帯状基板１０を構成する）帯板を負極側の帯板３０とし、保持部材４０を帯状基板１０に固定することによりＬＥＤチップ２に通電可能な状態に保持される帯板を正極側の帯板２０としたが、ＬＥＤチップ２として正極端子６〜８と負極端子の配置態様が上記と逆のものを使用する場合には、樹脂部１１に一体に保持される帯板を正極側の帯板２０とし、保持部材４０により上記態様で保持される帯板を負極側の帯板３０とすれば良い。
【００４１】
また、以上では、ＬＥＤチップ２としてＲＧＢフルカラー型のＬＥＤチップを使用しているが、ＬＥＤチップ２としては、単色発光タイプのＬＥＤチップを使用することもできる。
【００４２】
以上で説明したＬＥＤ照明１は、図６に示すように、コネクタ５０を介して電気的に接続（連結）することも可能である。かかる構成であれば長寸のＬＥＤ照明を提供することが可能となる。コネクタ５０の対向面のそれぞれには、帯板状をなしたＬＥＤ照明１の長手方向端部に設けられた二つの雄型端子９（ＬＥＤ照明１を電源に接続するための端子）と適合する正極用および負極用の雌型端子５１が設けられている。隣接する二つのＬＥＤ照明１の各雄型端子９をコネクタ５０の各雌型端子５１に挿入することで、隣接する二つのＬＥＤ照明１，１の正極側の帯板２０，２０同士および負極側の帯板３０，３０同士を通電可能に接続することができる。この場合、ＬＥＤ照明１をコネクタ５０に接続した後、ＬＥＤ照明１がコネクタ５０から脱落しないように、コネクタ５０とＬＥＤ照明１との間に機械的な抜け止め構造を設けるのが好ましい。
【符号の説明】
【００４３】
１      ＬＥＤ照明
２      ＬＥＤチップ
３      赤色発光部
４      緑色発光部
５      青色発光部
６、７、８  正極端子
１０    帯状基板
１１    樹脂部
１２    ＬＥＤ収容部
１３    孔部
２０    正極側の帯板
２１、２２、２３  端子
２４    孔部
３０    負極側の帯板
３１    端子
３２    孔部
４０    保持部材
４１    レンズ部
４２    凸部
４３    突起部
４４    係止部
【図１】
2015023170.tif 000003
【図２】
2015023170.tif 000004
【図３】
2015023170.tif 000005
【図４】
2015023170.tif 000006
【図５】
2015023170.tif 000007
【図６】
2015023170.tif 000008